(57)【特許請求の範囲】
【請求項１】
平面視で概略矩形の太陽電池モジュールを屋根に取り付けるための取付架台であって、
当該屋根に固定され、前記太陽電池モジュールの相対向する２つの側縁部のうち、任意の一方の側縁部を載置するためのモジュール載置部を有する縦桟下枠と、該縦桟下枠に固定され、該縦桟下枠の前記モジュール載置部に載置された前記太陽電池モジュールの側縁部を上方から押さえ付けて前記縦桟下枠と共に挟持するためのモジュール押さえ部を有する縦桟上枠と、
前記太陽電池モジュールの相対向する残り２つの側縁部のうち、任意の一方の側縁部を載置するためのモジュール載置部を有する横桟下枠と、該横桟下枠の前記モジュール載置部に載置された前記太陽電池モジュールの側縁部を上方から押さえ付けて横桟下枠と共に挟持するためのモジュール押さえ部を有する横桟上枠とを備えてなり、かつ、
前記横桟下枠及び横桟上枠も、前記太陽電池モジュールの側縁部を挟持した状態で、これらの両端部が、前記縦桟下枠と前記縦桟上枠とに突付けの状態で挟着されることで、固定される構造を有してなると共に、
前記縦桟下枠には、該モジュール載置部に太陽電池モジュールが載置されれば該太陽電池モジュールの下に隠れることとなる側の幅方向外縁部との間に長手方向に延びる雨水排出用溝部が設けられ、前記横桟下枠には、幅方向片側又は両側の外縁部に長手方向に延びる雨水排出用溝部が設けられていて、かつ、
前記各横桟下枠の前記雨水排出用溝部が、その両端部の箇所で、前記縦桟下枠の雨水排出用溝部に突付けの状態で接続されることで、前記縦桟下枠の前記雨水排出用溝部に連通する構造を有していることを特徴とする太陽電池モジュールの取付架台。
【請求項２】
それぞれ平面視で概略矩形の太陽電池モジュールを屋根に取り付けるための取付架台であって、
前記屋根の流れ方向に沿って屋根面上に配設され、かつ、幅方向両側又は片側の外縁部にて前記屋根面に固定され、前記太陽電池モジュールの各側縁部の４辺のうち前記屋根の流れ方向に沿う左辺又は右辺の各側縁部を載置するための、長手方向に延びるモジュール載置部を１つ又は２つ有する縦桟下枠と、各縦桟下枠に固定され、縦桟下枠の前記モジュール載置部に載置された前記太陽電池モジュールの左辺又は右辺の各側縁部を上方から押さえ付けて前記縦桟下枠と共に挟持するための、長手方向に延びるモジュール押さえ部を１つ又は２つ有する縦桟上枠と、
前記屋根の流れ方向に直交する方向に沿って屋根面上に配設され、太陽電池モジュールの側縁部の４辺のうち前記屋根の流れ方向に直交する方向に沿う上辺又は下辺の側縁部を載置するための、長手方向に延びるモジュール載置部を１つ又は２つ有する横桟下枠と、各横桟下枠の上に配設され、横桟下枠の前記モジュール載置部に載置された前記太陽電池モジュールの上辺又は下辺の側縁部を上方から押さえ付けて前記横桟下枠と共に挟持するための、長手方向に延びるモジュール押さえ部を１つ又は２つ有する横桟上枠とを備えてなり、かつ、
前記横桟下枠及び横桟上枠も、前記太陽電池モジュールの側縁部を挟持した状態で、これらの両端部が、前記縦桟下枠と前記縦桟上枠とに突付けの状態で挟着されることで、固定される構造を有してなると共に、
前記縦桟下枠には、該モジュール載置部に太陽電池モジュールが載置されれば該太陽電池モジュールの下に隠れることとなる側の幅方向外縁部との間に長手方向に延びる雨水排出用溝部が設けられ、前記横桟下枠には、幅方向片側又は両側の外縁部に長手方向に延びる雨水排出用溝部が設けられていて、かつ、
前記各横桟下枠の前記雨水排出用溝部が、その両端部の箇所で、前記縦桟下枠の雨水排出用溝部に突付けの状態で接続されることで、前記縦桟下枠の前記雨水排出用溝部に連通する構造を有していることを特徴とする太陽電池モジュールの取付架台。
【請求項３】
前記縦桟下枠及び前記横桟下枠には、長手方向に延びる嵌合凸部がそれぞれ設けられ、かつ、各嵌合凸部の片側又は両側に前記モジュール載置部が設けられている一方、前記縦桟上枠及び前記横桟上枠には、前記縦桟下枠又は横桟下枠の前記嵌合凸部に嵌合される、長手方向に延びる嵌合凹部がそれぞれ設けられ、かつ、各嵌合凹部の片側又は両側に前記モジュール押さえ部が設けられていることを特徴とする請求項１又は２記載の太陽電池モジュールの取付架台。
【請求項４】
前記嵌合凸部の上面には前記縦桟上枠又は横桟上枠をねじ止め固定するための雌ねじ孔が螺設されていて、かつ、前記嵌合凹部には前記嵌合凸部の雌ねじ孔に対応する箇所に雄ねじを通すための挿通孔が設けられていることを特徴とする請求項３記載の太陽電池モジュールの取付架台。
【請求項５】
前記横桟下枠の嵌合凸部の片側近傍又は両側近傍には、前記モジュール載置部への太陽電池モジュールの載置を容易にするための位置決めリブが設けられていることを特徴とする請求項３又は４記載の太陽電池モジュールの取付架台。
【請求項６】
前記縦桟下枠において、対応する横桟下枠に近い側に設けられた前記雨水排出用溝部の側壁には、前記横桟下枠の一端部が突付けの状態で挿着されることで、前記横桟下枠の雨水排出用溝部を該縦桟下枠の雨水排出用溝部に連通させるための横桟下枠挿着用切欠部が設けられていることを特徴とする請求項１又は２記載の太陽電池モジュールの取付架台。
【請求項７】
前記横桟下枠挿着用切欠部は、前記雨水排出用溝部の底面よりも浅く切り込まれてなることを特徴とする請求項６記載の太陽電池モジュールの取付架台。
【請求項８】
前記縦桟下枠は、幅方向に複数の段部を有し、長手方向に延びる最上段は、前記縦桟上枠を固定するための前記嵌合凸部として形成され、
該嵌合凸部の両側又は片側にて長手方向に延びる第１の中段は、前記太陽電池モジュールの左辺又は右辺の側縁部を載置するための前記モジュール載置部として形成され、
前記嵌合凸部の両側又は片側にて、かつ、前記第１の中段の外側で長手方向に延びる第２の中段は、最下段側の縁端にて長手方向に延びる側壁が立設されて前記雨水排出用溝部とされ、
幅方向両側又は片側の外縁部にて長手方向に延びる最下段は、前記屋根面に固定具で固定される屋根固定部とされ、
前記雨水排出用溝部の前記側壁には、前記横桟下枠の一端部を突付けの状態で挿着して、前記横桟下枠の雨水排出用溝部を該縦桟下枠の雨水排出用溝部に連通させるための前記横桟下枠挿着用切欠部が設けられていることを特徴とする請求項６又は７記載の太陽電池モジュールの取付架台。
【請求項９】
平面視で概略矩形の太陽電池モジュールを屋根に取り付けるための取付架台であって、
当該屋根に固定され、前記太陽電池モジュールの相対向する２つの側縁部のうち、任意の一方の側縁部を載置するためのモジュール載置部を有する縦桟下枠と、該縦桟下枠に固定され、該縦桟下枠の前記モジュール載置部に載置された前記太陽電池モジュールの側縁部を上方から押さえ付けて前記縦桟下枠と共に挟持するためのモジュール押さえ部を有する縦桟上枠と、
前記太陽電池モジュールの相対向する残り２つの側縁部のうち、任意の一方の側縁部を載置するためのモジュール載置部を有する横桟下枠と、該横桟下枠の前記モジュール載置部に載置された前記太陽電池モジュールの側縁部を上方から押さえ付けて横桟下枠と共に挟持するためのモジュール押さえ部を有する横桟上枠とを備えてなり、かつ、
前記横桟下枠及び横桟上枠も、前記太陽電池モジュールの側縁部を挟持した状態で、これらの両端部が、前記縦桟下枠と前記縦桟上枠とに突付けの状態で挟着されることで、固定される構造を有してなると共に、
前記縦桟下枠及び前記横桟下枠には、長手方向に延びる嵌合凸部がそれぞれ設けられ、かつ、各嵌合凸部の片側又は両側に前記モジュール載置部が設けられている一方、前記縦桟上枠及び前記横桟上枠には、前記縦桟下枠又は横桟下枠の前記嵌合凸部に嵌合される、長手方向に延びる嵌合凹部がそれぞれ設けられ、かつ、各嵌合凹部の片側又は両側に前記モジュール押さえ部が設けられていて、
前記縦桟上枠は、幅方向中央部にて長手方向に延びる前記嵌合凹部と、該嵌合凹部の幅方向片側又は両側に設けられた前記モジュール押さえ部と、前記横桟上枠の一端を突付けの状態で上方から押さえつけるために、前記各モジュール押さえ部の幅方向外側に設けられた横桟上枠押さえ部とを備えてなると共に、該横桟上枠押さえ部の幅方向外側には、小壁状の垂下片が設けられていて、該垂下片には、前記横桟上枠の一端部が突付けの状態で挿着されるための横桟上枠挿着用切欠部が設けられていることを特徴とする太陽電池モジュールの取付架台。
【請求項１０】
それぞれ平面視で概略矩形の太陽電池モジュールを屋根に取り付けるための取付架台であって、
前記屋根の流れ方向に沿って屋根面上に配設され、かつ、幅方向両側又は片側の外縁部にて前記屋根面に固定され、前記太陽電池モジュールの各側縁部の４辺のうち前記屋根の流れ方向に沿う左辺又は右辺の各側縁部を載置するための、長手方向に延びるモジュール載置部を１つ又は２つ有する縦桟下枠と、各縦桟下枠に固定され、縦桟下枠の前記モジュール載置部に載置された前記太陽電池モジュールの左辺又は右辺の各側縁部を上方から押さえ付けて前記縦桟下枠と共に挟持するための、長手方向に延びるモジュール押さえ部を１つ又は２つ有する縦桟上枠と、
前記屋根の流れ方向に直交する方向に沿って屋根面上に配設され、太陽電池モジュールの側縁部の４辺のうち前記屋根の流れ方向に直交する方向に沿う上辺又は下辺の側縁部を載置するための、長手方向に延びるモジュール載置部を１つ又は２つ有する横桟下枠と、各横桟下枠の上に配設され、横桟下枠の前記モジュール載置部に載置された前記太陽電池モジュールの上辺又は下辺の側縁部を上方から押さえ付けて前記横桟下枠と共に挟持するための、長手方向に延びるモジュール押さえ部を１つ又は２つ有する横桟上枠とを備えてなり、かつ、
前記横桟下枠及び横桟上枠も、前記太陽電池モジュールの側縁部を挟持した状態で、これらの両端部が、前記縦桟下枠と前記縦桟上枠とに突付けの状態で挟着されることで、固定される構造を有してなると共に、
前記縦桟下枠及び前記横桟下枠には、長手方向に延びる嵌合凸部がそれぞれ設けられ、かつ、各嵌合凸部の片側又は両側に前記モジュール載置部が設けられている一方、前記縦桟上枠及び前記横桟上枠には、前記縦桟下枠又は横桟下枠の前記嵌合凸部に嵌合される、長手方向に延びる嵌合凹部がそれぞれ設けられ、かつ、各嵌合凹部の片側又は両側に前記モジュール押さえ部が設けられていて、
前記縦桟上枠は、幅方向中央部にて長手方向に延びる前記嵌合凹部と、該嵌合凹部の幅方向片側又は両側に設けられた前記モジュール押さえ部と、前記横桟上枠の一端を突付けの状態で上方から押さえつけるために、前記各モジュール押さえ部の幅方向外側に設けられた横桟上枠押さえ部とを備えてなると共に、該横桟上枠押さえ部の幅方向外側には、小壁状の垂下片が設けられていて、該垂下片には、前記横桟上枠の一端部が突付けの状態で挿着されるための横桟上枠挿着用切欠部が設けられていることを特徴とする太陽電池モジュールの取付架台。
【請求項１１】
前記嵌合凸部の上面には前記縦桟上枠又は横桟上枠をねじ止め固定するための雌ねじ孔が螺設されていて、かつ、前記嵌合凹部には前記嵌合凸部の雌ねじ孔に対応する箇所に雄ねじを通すための挿通孔が設けられていることを特徴とする請求項９又は１０記載の太陽電池モジュールの取付架台。
【請求項１２】
前記横桟下枠の嵌合凸部の片側近傍又は両側近傍には、前記モジュール載置部への太陽電池モジュールの載置を容易にするための位置決めリブが設けられていることを特徴とする請求項９又は１０記載の太陽電池モジュールの取付架台。
【請求項１３】
前記横桟下枠は、幅方向に複数の段部を有し、長手方向に延びる最上段は、前記横桟上枠を嵌台するための前記嵌合凸部として形成され、該嵌合凸部の両側又は片側にて長手方向に延びる中段は、前記太陽電池モジュールの上辺又は下辺の側縁部を載置するための前記モジュール載置部として形成され、幅方向両側又は片側の外縁部にて長手方向に延びる最下段は、最外側縁端にて長手方向に延びる側壁が立設されて前記雨水排出用溝部とされていることを特徴とする請求項１又は２記載の太陽電池モジュールの取付架台。
【請求項１４】
前記縦桟下枠又は前記横桟下枠には、前記モジュール載置部の位置よりも深く切り込まれた上方開放の通線用切欠部が設けられていることを特徴とする請求項１、２、９又は１０記載の太陽電池モジュールの取付架台。
【請求項１５】
前記縦桟下枠又は前記横桟下枠には、前記モジュール載置部の位置よりも深いが、前記雨水排出用溝部の底面よりも浅く切り込まれた上方開放の通線用切欠部が設けられていることを特徴とする請求項１、２、９又は１０記載の太陽電池モジュールの取付架台。
【請求項１６】
太陽電池セルが樹脂にて透明板の裏面に貼り付けられ、さらに、裏面カバー材によって被覆されてなる矩形の太陽電池パネル又は透明板の裏面に光電変換層が直接形成され、さらに、裏面カバー層で被覆されてなる矩形の太陽電池パネルの側縁部を枠型に成形された高分子化合物の端部封止部材で封止してなる太陽電池モジュールが、請求項１乃至１５の何れか１に記載の取付架台を用いて屋根に取り付けられていることを特徴とする太陽電池モジュールの取付構造。
【請求項１７】
前記太陽電池モジュールの側縁部を構成する前記端部封止部材の４辺のうち、前記屋根の流れ方向に沿う左辺又は右辺が、前記縦桟下枠のモジュール載置部と前記縦桟上枠のモジュール押さえ部とで挟持され、かつ、前記端部封止部材の４辺のうち、前記屋根の流れ方向に直交する方向に沿う上辺又は下辺が、前記横桟下枠のモジュール載置部と前記横桟上枠のモジュール押さえ部とで挟持されて、前記太陽電池モジュールが屋根に取り付けられていることを特徴とする請求項１６記載の太陽電池モジュールの取付構造。
【請求項１８】
前記縦桟下枠又は前記横桟下枠に設けられた前記通線用切欠部を介して、隣接する太陽電池モジュール同士が配線接続されていることを特徴とする請求項１６又は１７記載の太陽電池モジュールの取付構造。
【請求項１９】
前記太陽電池モジュールと前記屋根面との間の棟側の隙間から前記太陽電池モジュール裏の屋根面に雨水が流れ込むのを防止するために、互いに所定の距離を開けて、少なくとも２本並べられた前記縦桟上枠の棟側の先端部間には、防水用カバー部材が被せられていることを特徴とする請求項１５，１６、１７又は１８記載の太陽電池モジュールの取付構造。
【請求項２０】
野地板の上に、防水シート及び防火用金属板は張られているが、屋根葺材は省略されている前記屋根面の上に、前記太陽電池モジュールが、請求項１乃至１５の何れか１に記載の取付架台を用いて、取り付けられていることを特徴とする請求項１５，１６，１７、１８又は１９記載の太陽電池モジュールの取付構造。
【請求項２１】
太陽電池セルが樹脂にて透明板の裏面に貼り付けられ、さらに、裏面カバー材によって被覆されてなる矩形の太陽電池パネル又は透明板の裏面に光電変換層が直接形成され、さらに、裏面カバー層で被覆されてなる矩形の太陽電池パネルの側縁部を枠型に成形された高分子化合物の端部封止部材で封止してなる単数又は複数の太陽電池モジュールを請求項１乃至１５の何れか１に記載の取付架台を用いて屋根に取り付ける方法であって、少なくとも２本の前記縦桟下枠を互いに所定の距離（前記各太陽電池モジュールの横幅に概略相当する距離）隔てた平行な状態で、かつ、前記屋根の流れ方向に沿って当該屋根面に固定し、次に、相隣る縦桟下枠間に、少なくとも２本の横桟下枠を互いに所定の距離（前記各太陽電池モジュールの縦寸法に概略相当する距離）隔てた平行な状態で、かつ、突付けの状態で略直角に架け渡した後、
相対向して並ぶ各２本の縦桟下枠と横桟下枠とで矩形の４辺をなす４つのモジュール載置部に、前記各太陽電池モジュールの側縁部を構成する前記端部封止部材の４辺を載置し、次いで、前記各横桟上枠を対応する前記横桟下枠の上に取り付けて、前記各太陽電池モジュールの前記端部封止部材の上辺と下辺とを挟み付け、次に、前記各縦桟上枠を対応する前記縦桟下枠の上に取り付けて、前記各太陽電池モジュールの前記端部封止部材の左辺と右辺とを挟み付け、併せて、前記縦桟下枠と縦桟上枠とに突付けられた前記横桟下枠と横桟上枠との端部を挟み付けて、前記各太陽電池モジュールを固定することを特徴とする太陽電池モジュールの取付方法。
【請求項２２】
太陽電池セルが樹脂にて透明板の裏面に貼り付けられ、さらに、裏面カバー材によって被覆されてなる矩形の太陽電池パネル又は透明板の裏面に光電変換層が直接形成され、さらに、裏面カバー層で被覆されてなる矩形の太陽電池パネルの側縁部を枠型に成形された高分子化合物の端部封止部材で封止してなる複数の太陽電池モジュールを請求項１乃至１５の何れか１に記載の取付架台を用いて屋根に取り付ける方法であって、
複数本の前記縦桟下枠を互いに所定の距離（前記各太陽電池モジュールの横幅に概略相当する距離）隔てた平行な状態で前記屋根の流れ方向に沿って当該屋根面に固定し、次に、相隣る縦桟下枠間に、複数本の横桟下枠を互いに所定の距離（前記各太陽電池モジュールの縦寸法に概略相当する距離）隔てた平行な状態で、かつ、突付けの状態で略直角に架け渡した後であって、
相対向する２本の縦桟下枠のモジュール載置部と、相対向する２本の横桟下枠のモジュール載置部との４つのモジュール載置部からなる矩形モジュール載置部に、前記各太陽電池モジュールの側縁部を構成する前記端部封止部材の４辺を載置する前に、予め、前記縦桟下枠又は前記横桟下枠に設けられた前記通線用切欠部を介して、隣接する太陽電池モジュール同士を配線接続することを特徴とする請求項２０記載の太陽電池モジュールの取付方法。
【発明の詳細な説明】
【０００１】
【発明の属する技術分野】
この発明は、太陽電池モジュールの取付架台、取付構造及び取付方法に係り、詳しくは、太陽電池モジュールを屋根に取り付ける際に用いて好適な取付架台、取付構造及び取付方法に関する。
【０００２】
【従来の技術】
太陽電池モジュールを勾配屋根の上に取り付ける作業では、まず、アルミの押出成形長尺品である複数の取付架台を、それぞれの長手方向を屋根面の流れ方向に向け、かつ、互いに所定の間隔を開けて並置固定した後、これらの取付架台間に複数の太陽電池モジュールを順次架け渡し、電気配線によって相互に接続しながら、棟側から軒先側まで敷き詰めて固定することが、従来から一般に行われている。また、この際、接続方向の最端部の太陽電池モジュールから導き出した終端の電気配線を屋内に設置したインバータへ導く電気工事も行われる。このようにして、屋根上の全ての太陽電池モジュールで発電された電力が集められて、インバータにより直流から交流に変換され、屋内配線に供給される。
【０００３】
ところで、太陽電池モジュールが、充分な耐候性・防水性を持つパネル体であることに着目して、例えば、特開平６−２９４１８５号公報等に記載があるように、いっそのこと、太陽電池モジュール下の瓦等の屋根葺材を省略した太陽電池モジュールの取付構造が、知られている。
同公報記載の取付構造では、矩形形状の太陽電池パネルの４辺に筒状のアルミフレームが装着されてなる複数の太陽電池モジュールが用意され、各太陽電池モジュールは、左右１対の縦フレーム（縦框）が、屋根面に固定され屋根の傾斜方向に沿って延びる樋状の支持レール（取付架台）の内側に収納された状態で支持され、この状態で、下フレーム（下框）及び上フレーム（上框）の内部がアルミの押出し成形品である支持レールの内側に連通されて、各フレームに侵入した雨水を樋状の支持レールから排水する構成となっている。
この構成によれば、太陽電池モジュールと下フレームの隙間から下フレーム等の中に雨水が入っても、この雨水は、下フレームの内部が連通する支持レールの内側に流れ、この支持レールにより排出されるので、太陽電池モジュールの排水性及び止水性の向上が図られる。それゆえ、太陽電池モジュール裏では、瓦等の屋根葺材を省略できる。
【０００４】
一方、太陽電池モジュール同士を接続する電気配線が、屋根上で露出状態で入り組んでいるのでは、その後の作業の妨げとなったり、屋根の外観を見苦しくするため、従来では、例えば、特開平７−１５３９８５号公報に記載があるように、
取付架台の側壁部に予め工場等で通線用貫通孔を穿設しておき、太陽電池モジュール設置時における屋根上での配線接続工事では、取付架台の側壁部に設けられた通線用貫通孔を介して、隣接する太陽電池モジュール同士を配線接続することが行われる。このようにすると、太陽電池モジュール間の接続配線は、取付架台に穿設した通線用貫通孔を介して、太陽電池モジュール下の屋根面で整然と行われるから、迂回配線の必要もなく、屋根の外観が損なわれることもない。
【０００５】
【発明が解決しようとする課題】
しかしながら、特開平６−２９４１８５号公報に記載の取付構造では、太陽電池モジュールの側縁部の４辺に、すでに、アルミ製のフレームが装着されているにもかかわらず、当該太陽電池モジュールを屋根に固定する際、さらに、別種のアルミ製の支持レール（取付架台）が必要となるため、設置コストが高くなる、という問題がある。
加えて、太陽電池モジュールの左右１対の縦フレーム（縦框）を、屋根面に固定された１対の支持レール（取付架台）に取り付ける際に、何等の措置も講じなければ、支持レールが屋根面に沿って傾斜しているため、太陽電池モジュールが軒側に滑落する虞があり、施工が困難かつ危険である。しかも、アルミ製のフレームでは、弾力性に欠けるため、太陽電池モジュールとフレームの隙間から雨水が太陽電池モジュールの裏面側に回り込み易い、という欠点もある。これを防ぐには、多量のシール材や目地ガスケットが必要となるが、これでは、取付工数の削減化とトータルコストの低減化を図れない。
【０００６】
また、特開平７−１５３９８５号公報に記載の配線構造では、取付架台に穿設した通線用貫通孔に電気配線を挿通しなければならないため、作業性が非常に悪い、という欠点がある。
【０００７】
この発明は、上述の事情に鑑みてなされたもので、太陽電池モジュールを迅速安全に取付でき、しかも、確実に止水できる太陽電池モジュールの取付架台を提供することを目的としている。
また、この発明は、止水性、施工性、安全性を犠牲にすることなく、コストダウンを図ることのできる太陽電池モジュールの取付構造及び取付方法を提供することを目的としている。
【０００８】
【課題を解決するための手段】
上記課題を解決するために、請求項１記載は、平面視で概略矩形の太陽電池モジュールを屋根に取り付けるための取付架台に係り、当該屋根に固定され、前記太陽電池モジュールの相対向する２つの側縁部のうち、任意の一方の側縁部を載置するためのモジュール載置部を有する縦桟下枠と、該縦桟下枠に固定され、該縦桟下枠の前記モジュール載置部に載置された前記太陽電池モジュールの側縁部を上方から押さえ付けて前記縦桟下枠と共に挟持するためのモジュール押さえ部を有する縦桟上枠と、前記太陽電池モジュールの相対向する残り２つの側縁部のうち、任意の一方の側縁部を載置するためのモジュール載置部を有する横桟下枠と、該横桟下枠の前記モジュール載置部に載置された前記太陽電池モジュールの側縁部を上方から押さえ付けて横桟下枠と共に挟持するためのモジュール押さえ部を有する横桟上枠とを備えてなり、かつ、前記横桟下枠及び横桟上枠も、前記太陽電池モジュールの側縁部を挟持した状態で、これらの両端部が、前記縦桟下枠と前記縦桟上枠とに突付けの状態で挟着されることで、固定される構造を有してなると共に、前記縦桟下枠には、該モジュール載置部に太陽電池モジュールが載置されれば該太陽電池モジュールの下に隠れることとなる側の幅方向外縁部との間に長手方向に延びる雨水排出用溝部が設けられ、前記横桟下枠には、幅方向片側又は両側の外縁部に長手方向に延びる雨水排出用溝部が設けられていて、かつ、前記各横桟下枠の前記雨水排出用溝部が、その両端部の箇所で、前記縦桟下枠の雨水排出用溝部に突付けの状態で接続されることで、前記縦桟下枠の前記雨水排出用溝部に連通する構造を有していることを特徴としている。
【０００９】
また、請求項２記載の発明は、それぞれ平面視で概略矩形の太陽電池モジュールを屋根に取り付けるための取付架台に係り、前記屋根の流れ方向に沿って屋根面上に配設され、かつ、幅方向両側又は片側の外縁部にて前記屋根面に固定され、前記太陽電池モジュールの各側縁部の４辺のうち前記屋根の流れ方向に沿う左辺又は右辺の各側縁部を載置するための、長手方向に延びるモジュール載置部を１つ又は２つ有する縦桟下枠と、各縦桟下枠に固定され、縦桟下枠の前記モジュール載置部に載置された前記太陽電池モジュールの左辺又は右辺の各側縁部を上方から押さえ付けて前記縦桟下枠と共に挟持するための、長手方向に延びるモジュール押さえ部を１つ又は２つ有する縦桟上枠と、前記屋根の流れ方向に直交する方向に沿って屋根面上に配設され、太陽電池モジュールの側縁部の４辺のうち前記屋根の流れ方向に直交する方向に沿う上辺又は下辺の側縁部を載置するための、長手方向に延びるモジュール載置部を１つ又は２つ有する横桟下枠と、各横桟下枠の上に配設され、横桟下枠の前記モジュール載置部に載置された前記太陽電池モジュールの上辺又は下辺の側縁部を上方から押さえ付けて前記横桟下枠と共に挟持するための、長手方向に延びるモジュール押さえ部を１つ又は２つ有する横桟上枠とを備えてなり、かつ、前記横桟下枠及び横桟上枠も、前記太陽電池モジュールの側縁部を挟持した状態で、これらの両端部が、前記縦桟下枠と前記縦桟上枠とに突付けの状態で挟着されることで、固定される構造を有してなると共に、前記縦桟下枠には、該モジュール載置部に太陽電池モジュールが載置されれば該太陽電池モジュールの下に隠れることとなる側の幅方向外縁部との間に長手方向に延びる雨水排出用溝部が設けられ、前記横桟下枠には、幅方向片側又は両側の外縁部に長手方向に延びる雨水排出用溝部が設けられていて、かつ、前記各横桟下枠の前記雨水排出用溝部が、その両端部の箇所で、前記縦桟下枠の雨水排出用溝部に突付けの状態で接続されることで、前記縦桟下枠の前記雨水排出用溝部に連通する構造を有していることを特徴としている。
【００１０】
また、請求項３記載の発明は、請求項１又は２記載の太陽電池モジュールの取付架台に係り、上記縦桟下枠及び上記横桟下枠には、長手方向に延びる嵌合凸部がそれぞれ設けられ、かつ、各嵌合凸部の片側又は両側に上記モジュール載置部が設けられている一方、上記縦桟上枠及び上記横桟上枠には、上記縦桟下枠又は横桟下枠の上記嵌合凸部に嵌合される嵌合凹部がそれぞれ設けられ、かつ、各嵌合凹部の片側又は両側に上記モジュール押さえ部が設けられていることを特徴としている。
【００１１】
また、請求項４記載の発明は、請求項３記載の太陽電池モジュールの取付架台に係り、上記嵌合凸部の上面には上記縦桟上枠又は横桟上枠をねじ止め固定するための雌ねじ孔が螺設されていて、かつ、上記嵌合凹部には上記嵌合凸部の雌ねじ孔に対応する箇所に雄ねじを通すための挿通孔が設けられていることを特徴としている。
【００１２】
また、請求項５記載の発明は、請求項３又は４記載の太陽電池モジュールの取付架台に係り、上記横桟下枠の嵌合凸部の片側近傍又は両側近傍には、上記モジュール載置部への太陽電池モジュールの載置を容易にするための位置決めリブが設けられていることを特徴としている。
【００１３】
請求項６記載の発明は、請求項１又は２記載の太陽電池モジュールの取付架台に係り、前記縦桟下枠において、対応する横桟下枠に近い側に設けられた前記雨水排出用溝部の側壁には、前記横桟下枠の一端部が突付けの状態で挿着されることで、前記横桟下枠の雨水排出用溝部を該縦桟下枠の雨水排出用溝部に連通させるための横桟下枠挿着用切欠部が設けられていることを特徴としている。
【００１４】
請求項７記載の発明は、請求項６記載の太陽電池モジュールの取付架台に係り、前記横桟下枠挿着用切欠部が、前記雨水排出用溝部の底面よりも浅く切り込まれてなることを特徴としている。
【００１５】
請求項８記載の発明は、請求項６又は７記載の太陽電池モジュールの取付架台に係り、前記縦桟下枠が、幅方向に複数の段部を有し、長手方向に延びる最上段は、前記縦桟上枠を固定するための前記嵌合凸部として形成され、該嵌合凸部の両側又は片側にて長手方向に延びる第１の中段が、前記太陽電池モジュールの左辺又は右辺の側縁部を載置するための前記モジュール載置部として形成され、前記嵌合凸部の両側又は片側にて、かつ、前記第１の中段の外側で長手方向に延びる第２の中段が、最下段側の縁端にて長手方向に延びる側壁が立設されて前記雨水排出用溝部とされ、幅方向両側又は片側の外縁部にて長手方向に延びる最下段が、前記屋根面に固定具で固定される屋根固定部とされ、前記雨水排出用溝部の前記側壁には、前記横桟下枠の一端部を突付けの状態で挿着して、前記横桟下枠の雨水排出用溝部を該縦桟下枠の雨水排出用溝部に連通させるための前記横桟下枠挿着用切欠部が設けられていることを特徴としている。
【００１６】
請求項９記載の発明は、平面視で概略矩形の太陽電池モジュールを屋根に取り付けるための取付架台に係り、当該屋根に固定され、前記太陽電池モジュールの相対向する２つの側縁部のうち、任意の一方の側縁部を載置するためのモジュール載置部を有する縦桟下枠と、該縦桟下枠に固定され、該縦桟下枠の前記モジュール載置部に載置された前記太陽電池モジュールの側縁部を上方から押さえ付けて前記縦桟下枠と共に挟持するためのモジュール押さえ部を有する縦桟上枠と、前記太陽電池モジュールの相対向する残り２つの側縁部のうち、任意の一方の側縁部を載置するためのモジュール載置部を有する横桟下枠と、該横桟下枠の前記モジュール載置部に載置された前記太陽電池モジュールの側縁部を上方から押さえ付けて横桟下枠と共に挟持するためのモジュール押さえ部を有する横桟上枠とを備えてなり、かつ、前記横桟下枠及び横桟上枠も、前記太陽電池モジュールの側縁部を挟持した状態で、これらの両端部が、前記縦桟下枠と前記縦桟上枠とに突付けの状態で挟着されることで、固定される構造を有してなると共に、前記縦桟下枠及び前記横桟下枠には、長手方向に延びる嵌合凸部がそれぞれ設けられ、かつ、各嵌合凸部の片側又は両側に前記モジュール載置部が設けられている一方、前記縦桟上枠及び前記横桟上枠には、前記縦桟下枠又は横桟下枠の前記嵌合凸部に嵌合される、長手方向に延びる嵌合凹部がそれぞれ設けられ、かつ、各嵌合凹部の片側又は両側に前記モジュール押さえ部が設けられていて、前記縦桟上枠は、幅方向中央部にて長手方向に延びる前記嵌合凹部と、該嵌合凹部の幅方向片側又は両側に設けられた前記モジュール押さえ部と、前記横桟上枠の一端を突付けの状態で上方から押さえつけるために、前記各モジュール押さえ部の幅方向外側に設けられた横桟上枠押さえ部とを備えてなると共に、該横桟上枠押さえ部の幅方向外側には、小壁状の垂下片が設けられていて、該垂下片には、前記横桟上枠の一端部が突付けの状態で挿着されるための横桟上枠挿着用切欠部が設けられていることを特徴としている。
【００１７】
また、請求項１０記載の発明は、それぞれ平面視で概略矩形の太陽電池モジュールを屋根に取り付けるための取付架台に係り、前記屋根の流れ方向に沿って屋根面上に配設され、かつ、幅方向両側又は片側の外縁部にて前記屋根面に固定され、前記太陽電池モジュールの各側縁部の４辺のうち前記屋根の流れ方向に沿う左辺又は右辺の各側縁部を載置するための、長手方向に延びるモジュール載置部を１つ又は２つ有する縦桟下枠と、各縦桟下枠に固定され、縦桟下枠の前記モジュール載置部に載置された前記太陽電池モジュールの左辺又は右辺の各側縁部を上方から押さえ付けて前記縦桟下枠と共に挟持するための、長手方向に延びるモジュール押さえ部を１つ又は２つ有する縦桟上枠と、前記屋根の流れ方向に直交する方向に沿って屋根面上に配設され、太陽電池モジュールの側縁部の４辺のうち前記屋根の流れ方向に直交する方向に沿う上辺又は下辺の側縁部を載置するための、長手方向に延びるモジュール載置部を１つ又は２つ有する横桟下枠と、各横桟下枠の上に配設され、横桟下枠の前記モジュール載置部に載置された前記太陽電池モジュールの上辺又は下辺の側縁部を上方から押さえ付けて前記横桟下枠と共に挟持するための、長手方向に延びるモジュール押さえ部を１つ又は２つ有する横桟上枠とを備えてなり、かつ、前記横桟下枠及び横桟上枠も、前記太陽電池モジュールの側縁部を挟持した状態で、これらの両端部が、前記縦桟下枠と前記縦桟上枠とに突付けの状態で挟着されることで、固定される構造を有してなると共に、前記縦桟下枠及び前記横桟下枠には、長手方向に延びる嵌合凸部がそれぞれ設けられ、かつ、各嵌合凸部の片側又は両側に前記モジュール載置部が設けられている一方、前記縦桟上枠及び前記横桟上枠には、前記縦桟下枠又は横桟下枠の前記嵌合凸部に嵌合される、長手方向に延びる嵌合凹部がそれぞれ設けられ、かつ、各嵌合凹部の片側又は両側に前記モジュール押さえ部が設けられていて、前記縦桟上枠は、幅方向中央部にて長手方向に延びる前記嵌合凹部と、該嵌合凹部の幅方向片側又は両側に設けられた前記モジュール押さえ部と、前記横桟上枠の一端を突付けの状態で上方から押さえつけるために、前記各モジュール押さえ部の幅方向外側に設けられた横桟上枠押さえ部とを備えてなると共に、該横桟上枠押さえ部の幅方向外側には、小壁状の垂下片が設けられていて、該垂下片には、前記横桟上枠の一端部が突付けの状態で挿着されるための横桟上枠挿着用切欠部が設けられていることを特徴としている。
【００１８】
請求項１１記載の発明は、請求項９又は１０記載の太陽電池モジュールの取付架台に係り、前記嵌合凸部の上面には前記縦桟上枠又は横桟上枠をねじ止め固定するための雌ねじ孔が螺設されていて、かつ、前記嵌合凹部には前記嵌合凸部の雌ねじ孔に対応する箇所に雄ねじを通すための挿通孔が設けられていることを特徴としている。
【００１９】
また、請求項１２記載の発明は、請求項９又は１０記載の太陽電池モジュールの取付架台に係り、前記横桟下枠の嵌合凸部の片側近傍又は両側近傍には、前記モジュール載置部への太陽電池モジュールの載置を容易にするための位置決めリブが設けられていることを特徴としている。
【００２０】
また、請求項１３記載の発明は、請求項１又は２記載の太陽電池モジュールの取付架台に係り、前記横桟下枠が、幅方向に複数の段部を有し、長手方向に延びる最上段は、前記横桟上枠を嵌台するための前記嵌合凸部として形成され、該嵌合凸部の両側又は片側にて長手方向に延びる中段が、前記太陽電池モジュールの上辺又は下辺の側縁部を載置するための前記モジュール載置部として形成され、幅方向両側又は片側の外縁部にて長手方向に延びる最下段は、最外側縁端にて長手方向に延びる側壁が立設されて前記雨水排出用溝部とされていることを特徴としている。
【００２１】
請求項１４記載の発明は、請求項１、２、９又は１０記載の太陽電池モジュールの取付架台に係り、前記縦桟下枠又は前記横桟下枠には、前記モジュール載置部の位置よりも深く切り込まれた上方開放の通線用切欠部が設けられていることを特徴としている。
【００２２】
請求項１５記載の発明は、請求項１、２、９又は１０記載の太陽電池モジュールの取付架台に係り、前記縦桟下枠又は前記横桟下枠には、前記モジュール載置部の位置よりも深いが、前記雨水排出用溝部の底面よりも浅く切り込まれた上方開放の通線用切欠部が設けられていることを特徴としている。
【００２３】
請求項１６記載の発明は、太陽電池モジュールの取付構造に係り、太陽電池セルが樹脂にて透明板の裏面に貼り付けられ、さらに、裏面カバー材によって被覆されてなる矩形の太陽電池パネル又は透明板の裏面に光電変換層が直接形成され、さらに、裏面カバー層で被覆されてなる矩形の太陽電池パネルの側縁部を枠型に成形された高分子化合物の端部封止部材で封止してなる太陽電池モジュールが、請求項１乃至１５の何れか１に記載の取付架台を用いて屋根に取り付けられていることを特徴としている。
【００２４】
また、請求項１７記載の発明は、請求項１６記載の太陽電池モジュールの取付構造に係り、前記太陽電池モジュールの側縁部を構成する前記端部封止部材の４辺のうち、前記屋根の流れ方向に沿う左辺又は右辺が、前記縦桟下枠のモジュール載置部と前記縦桟上枠のモジュール押さえ部とで挟持され、かつ、前記端部封止部材の４辺のうち、前記屋根の流れ方向に直交する方向に沿う上辺又は下辺が、前記横桟下枠のモジュール載置部と前記横桟上枠のモジュール押さえ部とで挟持されて、前記太陽電池モジュールが屋根に取り付けられていることを特徴としている。
【００２５】
また、請求項１８記載の発明は、請求項１６又は１７記載の太陽電池モジュールの取付構造に係り、前記縦桟下枠又は前記横桟下枠に設けられた前記通線用切欠部を介して、隣接する太陽電池モジュール同士が配線接続されていることを特徴としている。
【００２６】
また、請求項１９記載の発明は、請求項１５，１６、１７又は１８記載の太陽電池モジュールの取付構造に係り、前記太陽電池モジュールと前記屋根面との間の棟側の隙間から前記太陽電池モジュール裏の屋根面に雨水が流れ込むのを防止するために、互いに所定の距離を開けて、少なくとも２本並べられた前記縦桟上枠の棟側の先端部間には、防水用カバー部材が被せられていることを特徴としている。
【００２７】
また、請求項２０記載の発明は、請求項１５，１６，１７、１８又は１９記載の太陽電池モジュールの取付構造に係り、野地板の上に、防水シート及び防火用金属板は張られているが、屋根葺材は省略されている前記屋根面の上に、前記太陽電池モジュールが、請求項１乃至１５の何れか１に記載の取付架台を用いて、取り付けられていることを特徴としている。
【００２８】
また、請求項２１記載の発明は、太陽電池セルが樹脂にて透明板の裏面に貼り付けられ、さらに、裏面カバー材によって被覆されてなる矩形の太陽電池パネル又は透明板の裏面に光電変換層が直接形成され、さらに、裏面カバー層で被覆されてなる矩形の太陽電池パネルの側縁部を枠型に成形された高分子化合物の端部封止部材で封止してなる単数又は複数の太陽電池モジュールを請求項１乃至１５の何れか１に記載の取付架台を用いて屋根に取り付ける方法に係り、少なくとも２本の前記縦桟下枠を互いに所定の距離（前記各太陽電池モジュールの横幅に概略相当する距離）隔てた平行な状態で、かつ、前記屋根の流れ方向に沿って当該屋根面に固定し、次に、相隣る縦桟下枠間に、少なくとも２本の横桟下枠を互いに所定の距離（前記各太陽電池モジュールの縦寸法に概略相当する距離）隔てた平行な状態で、かつ、突付けの状態で略直角に架け渡した後、相対向して並ぶ各２本の縦桟下枠と横桟下枠とで矩形の４辺をなす４つのモジュール載置部に、前記各太陽電池モジュールの側縁部を構成する前記端部封止部材の４辺を載置し、次いで、前記各横桟上枠を対応する前記横桟下枠の上に取り付けて、前記各太陽電池モジュールの前記端部封止部材の上辺と下辺とを挟み付け、次に、前記各縦桟上枠を対応する前記縦桟下枠の上に取り付けて、前記各太陽電池モジュールの前記端部封止部材の左辺と右辺とを挟み付け、併せて、前記縦桟下枠と縦桟上枠とに突付けられた前記横桟下枠と横桟上枠との端部を挟み付けて、前記各太陽電池モジュールを固定することを特徴としている。
【００２９】
また、請求項２２記載の発明は、太陽電池セルが樹脂にて透明板の裏面に貼り付けられ、さらに、裏面カバー材によって被覆されてなる矩形の太陽電池パネル又は透明板の裏面に光電変換層が直接形成され、さらに、裏面カバー層で被覆されてなる矩形の太陽電池パネルの側縁部を枠型に成形された高分子化合物の端部封止部材で封止してなる複数の太陽電池モジュールを請求項１乃至１５の何れか１に記載の取付架台を用いて屋根に取り付ける方法に係り、複数本の前記縦桟下枠を互いに所定の距離（前記各太陽電池モジュールの横幅に概略相当する距離）隔てた平行な状態で前記屋根の流れ方向に沿って当該屋根面に固定し、次に、相隣る縦桟下枠間に、複数本の横桟下枠を互いに所定の距離（前記各太陽電池モジュールの縦寸法に概略相当する距離）隔てた平行な状態で、かつ、突付けの状態で略直角に架け渡した後であって、相対向する２本の縦桟下枠のモジュール載置部と、相対向する２本の横桟下枠のモジュール載置部との４つのモジュール載置部からなる矩形モジュール載置部に、前記各太陽電池モジュールの側縁部を構成する前記端部封止部材の４辺を載置する前に、予め、前記縦桟下枠又は前記横桟下枠に設けられた前記通線用切欠部を介して、隣接する太陽電池モジュール同士を配線接続することを特徴としている。
【００３０】
【作用】
この発明の構成の取付架台を用いて、例えば、Ｌ（＝ＭｘＮ）台の太陽電池モジュールを横（棟に平行な方向）にＭ台、縦（棟側から軒先側への流れ方向）にＮ台の配列態様で尾根の上に設置するには、仮に、縦桟下枠、縦桟上枠が、長尺物で、太陽電池モジュールＭ台分を固定できるなら、各「Ｍ＋１」本の縦桟下枠、縦桟上枠と、各Ｍｘ「Ｎ＋１」本の横桟下枠と、横桟上枠とを用意する。屋根の上に、まず、「Ｍ＋１」本の縦桟下枠と、Ｍｘ「Ｎ＋１」本の横桟下枠とを縦横に配設すると、縦桟下枠、縦桟上枠、横桟下枠、横桟上枠のそれぞれから１つずつ提供される４つのモジュール載置部によって仕切られたＭ行Ｎ列の方形空間（セル）が形成される。そして、各太陽電池モジュールの側縁部の４辺を、各方形空間の輪郭をなす４方のモジュール載置部に載せ置く態様で、１つの方形空間に、１つの太陽電池モジュールを納めて行く。
この際、４方のモジュール載置部を嵌合凸部によって囲むようにすれば、太陽電池モジュールが屋根から滑落する虞はない。この後、横桟上枠、縦桟上枠の順に、横桟上枠及び縦桟上枠の嵌合凹部を横桟下枠及び縦桟下枠の嵌合凸部に嵌め込む簡易な作業を行えば、Ｌ（＝ＭｘＮ）台の太陽電池モジュールが縦桟下枠と縦桟上枠、及び横桟下枠と横桟上枠とに挟着される。最後に、縦桟上枠を縦桟下枠に例えばビス止めして固定することで、太陽電池モジュールの設置が完了する。横桟下枠及び縦桟下枠には雨水排出用溝部が設けられていて、太陽電池パネルと端部封止部材との間、太陽電池モジュール（端部封止部材）と横桟上枠の隙間から侵入し、太陽電池モジュールの裏側に回り込んだ雨水は、横桟下枠の雨水排出用溝部に流れ込む。横桟下枠の雨水排出用溝部は、縦桟下枠の雨水排出用溝部に通じているので、進入した雨水は、最終的には、縦桟下枠の雨水排出用溝部から、全て排出され、止水が確実になされる。
【００３１】
この発明の構成の取付架台は、矩形の太陽電池パネルの側縁部を、アルミフレームの代わりに、枠型に成形された高分子化合物の端部封止部材で封止して構成される太陽電池モジュールの設置に特に好適である。この種の太陽電池モジュールなら、アルミフレームを用いないので、トータルコストの低減化を図ることができる上、側縁部が弾力性に富む端部封止部材で構成されているので、屋根上に仮置きしても滑らず、安全である。また、縦桟上枠、縦桟下枠、横桟上枠、横桟下枠とで、この種の太陽電池モジュールを挟着固定した状態では、端部封止部材の弾力により、太陽電池パネルと端部封止部材、太陽電池モジュール（端部封止部材）と横桟上枠、横桟下枠、縦桟上枠、縦桟下枠とが密着状態となるので、止水性が一段と確実になる。
【００３２】
なお、縦桟下枠又は上記横桟下枠に、モジュール載置部の位置よりも深く切り込まれた上方開放の通線用切欠部を設るようにすれば、上方から通線用切欠部の中に配線を落とし込むだけで、隣の方形空間に配線を延ばすことができるので、通線用貫通孔に配線を通す従来の配線接続技術に較べれば、配線接続作業が大変楽になる。
【００３３】
【発明の実施の形態】
以下、図面を参照して、この発明の実施の形態について説明する。説明は、実施例を用いて具体的に行う。
◇第１実施例
図１は、この発明の第１実施例に用いられる太陽電池モジュールの構成を概略示す概略断面図、図２は、同太陽電池モジュールの構成を部分的に示す一部破断斜視図、図３は、同太陽電池モジュールの本体部分である太陽電池パネルの構成を模式的に示す模式的断面図、図４は、同太陽電池モジュールの製造方法を工程順に説明するための説明図である。
【００３４】
太陽電池モジュールの構成
まず、図１乃至図３を参照して、同実施例に用いられる太陽電池モジュールの構成から説明する。
この例の太陽電池モジュール１は、屋根に設置されて屋根葺材としても機能する１辺が略８００ｍｍ程度の方形の光発電体で、図３に示すように、内部リード線を介して互いに電気接続された複数枚の結晶シリコン太陽電池セル１１，１１，…を、方形の透明ガラス基板１２の裏面に縦横に並べて充填接着剤１３で貼着し、さらに、裏面カバー材１４で被覆して太陽電池パネル１Ａを形成した後、図１及び図２に示すように、この太陽電池パネル１Ａの側縁部の４辺を、アルミフレームの代わりに、高分子射出一体成形体である枠型の端部封止部材１５で封止し、さらに、太陽電池パネル１Ａの裏面中央部に端子ボックス１６を接着して構成されている。
【００３５】
ここで、上記透明ガラス基板１２には、光透過率や耐衝撃強度に優れる厚さ略３．２ｍｍの白板強化ガラスが用いられる。また、充填接着剤１３には、耐湿性に優れるＥＶＡ（エチレンビニルアセテート）フィルムが好適に用いられる。また、裏面カバー材１４には、例えばアルミシートの両面を絶縁性に優れるＰＶＦ（弗化ビニル樹脂）で被覆した厚さ略０．１ｍｍの樹脂被覆メタルシートが好適に用いられる。また、上記端部封止部材１５は、太陽電池モジュール１を屋根に設置する際に、その４辺が後述する取付架台によって挟着固定される部位であり、図１及び図２に示すように、内周面には太陽電池パネル１Ａの縁端部を全周に亘り嵌合密封する環状凹溝１５１が形成され、また、上面には全周に亘り上方に突隆する角型の上方環状突隆部１５２，１５２が内外周２重に設けられ、同じく下面にも全周に亘り下方に突隆する角型の下方環状突隆部１５３，１５３が内外周２重に設けられてなっている。
また、上記端子ボックス１６には、太陽電池パネル１Ａの内部リード線と、太陽電池パネル１Ａの下を這う２本の外部リード線１７，１７とを接続するハンダ接合部や逆流防止用のダイオードが収納され、シリコーン樹脂等の充填接着材で封止されている。外部リード線１７，１７は防水被覆され、それぞの先端には、雄型又は雌型の防水性コネクタ１８，１８が取着されている。
【００３６】
端部封止部材成形用金型
端部封止部材１５は、成形用金型２を用いて、太陽電池パネル１Ａの側縁部に直接成形されることで、太陽電池パネル１Ａと一体化される。
この例で使用される端部封止部材１５の成形用金型２は、図４（ａ）に示すように、太陽電池モジュール１の略上半分の型である表型２ａと、太陽電池モジュール１の略下半分の型である裏型２ｂとの合わせ構造からなり、太陽電池パネル１Ａの非側縁部を上下から密着状態で挟み付けて収納保持するためのパネル収納部２１と、このパネル収納部２１の側周端縁に隣接連通し、端部封止部材１５の型となる角環状のキャビティ部（注型部）２２とからなっている。このキャビティ部２２では、端部封止部材１５を、その肉厚が太陽電池モジュール１Ａのそれよりも厚い枠型形状に成形するために、パネル収納部２１の天井面よりも一段と高い天井面になされ、一方、パネル収納部２１の低面よりも一段と低い低面になされている。さらに、キャビティ部２２の天井面には、端部封止部材１５の上方環状突隆部１５２，１５２の型として上方環状Ｖ溝部２３，２３が、内外周２重に設けられていて、一方、キャビティ部２２の底面には、端部封止部材１５の下方環状突隆部１５３，１５３の型として下方環状Ｖ溝部２４，２４が、内外周２重に設けられている。なお、裏型２ｂとの合わせ目に相当する表型２ａも所定の部位には、ミキシングヘッド２５で混練された液状の成形用樹脂原料（この例では、２液硬化型ウレタン樹脂原料）を型中に流し込むためのゲート部２６が設けられている。
【００３７】
太陽電池モジュールの製造方法
上記構成の太陽電池モジュール１を製造するには、まず、内部リード線を介して互いに電気接続された複数枚の結晶シリコン太陽電池セル１１，１１，…を白板強化ガラス等の透明ガラス基板１２の裏面に縦横に並べてＥＶＡ等の充填接着剤１３で貼着し、樹脂被覆メタルシート等の裏面カバー材１４で被覆して太陽電池パネル１Ａを形成する（図３参照）。
次に、図４（ｂ）に示すように、成形用金型２の下半分を構成する裏型２ｂのパネル収納部２１の領域に、太陽電池パネル１Ａの非側縁部を載置した後、成形用金型２の上半分を構成する表型２ａを被せて合わせ型にすると、パネル収納部２１の全空間領域は、太陽電池パネル１Ａの非側縁部によって完全に充填されるが、キャビティ部２２の空間領域は、パネル収納部２１からはみ出す太陽電池パネル１Ａの側縁部によって一部が充填され、残りの空き領域によって、端部封止部材１５の型空間が形成される。
【００３８】
そこで、次に、キャビティ部２２の空き領域に対して２液硬化型ウレタン樹脂原料の注入賦形を行う。
２液硬化型ウレタン樹脂原料は、イソシアネート化合物（主剤）と、ポリオール（硬化剤）とからなり、型内に注入される直前に、液状混練樹脂組成物となって、型内に注入賦形される。ここで、好適なイソシアネート化合物としては、ＭＤＩ（ジフェニルメタン−４，４’−ジイソシアネート）やＴＤＩ（トリレンジイソシアネート）を挙げることができ、また、好適なポリオールとしては、ポリエステルやポリエーテル等を挙げることができる。
詳述すると、図示せぬ２つの液剤圧送ユニットから、それぞれ、イソシアネート化合物（主剤）と、ポリオール（硬化剤）とが成形用金型２に向けて射出圧送される。両者は、経路の途中で、図４（ｃ）に示すように、ミキシングヘッド２５にて混練されて液状混練樹脂組成物Ｍとなる。この液状混練樹脂組成物Ｍは、ミキシングヘッド２５にて混練されながら、成形用金型２のゲート部２６に導かれ、ゲート部２６でさらに混練されながら、角環状のキャビティ部２２に注入賦形され、そこで、化学反応が進んで固化する。そして、液状混練樹脂組成物Ｍがキャビティ部２２内で完全に固化すると、表型２ａと裏型２ｂとを取り外して、脱型する。このように、端部封止部材１５を、太陽電池パネル１Ａの側縁部に直接枠型に成形し、太陽電池パネル１Ａと一体化させる。
【００３９】
この後、太陽電池パネル１Ａの内部リード線と、雄型又は雌型のコネクタ１８，１８付きの２本の外部リード線１７，１７とを逆流防止用のダイオードを介挿させた状態でハンダで接続し、これらハンダ接合部及びダイオードを端子ボックス１６に納めた後、シリコーン樹脂等の充填接着材で封止すると共に、この充填接着剤を介して、端子ボックス１６を太陽電池パネル１Ａの裏面中央部に接着して、太陽電池モジュール１を完成させる。完成した太陽電池モジュール１は、次述する専用の取付架台を介して屋根に取り付けられる。
【００４０】
太陽電池モジュールの取付架台
図５乃至図１１は、この発明の第１実施例である太陽電池モジュールの取付架台を構成する各部材を示す図であり、図５（ａ）は横桟下枠の構成を示す平面図、同図（ｂ）は同横桟下枠の横断面図、図６（ａ）は横桟上枠の構成を示す平面図、同図（ｂ）は同横桟上枠の横断面図、図７（ａ）は縦桟下枠の構成を示す左側面図、同図（ｂ）は同縦桟下枠の平面図、同図（ｃ）は同縦桟下枠の右側面図、同図（ｄ）は同縦桟下枠の横断面図、図８（ａ）は縦桟上枠の構成を示す左側面図、同図（ｂ）は同縦桟上枠の平面図、同図（ｃ）は同縦桟上枠の右側面図、同図（ｄ）は同縦桟上枠の横断面図、図９（ａ）は、最も外側に配置される縦桟上枠の構成を示す平面図、同図（ｂ）は同縦桟上枠の右側面図、同図（ｃ）は同縦桟上枠の横断面図、図１０（ａ）は、最も外側に配置される棟側カバー部材の平面図、同図（ｂ）は同棟側カバー部材の左側面図、また、図１１（ａ）は軒先側カバー部材の前面図、同図（ｂ）は同軒先側カバー部材の平面図、同図（ｃ）は同軒先側カバー部材の横断面図である。
【００４１】
次に、図５乃至図１１を参照して、この発明の第１実施例である取付架台について説明する。
この例の取付架台は、複数の太陽電池モジュール１を屋根の上に整列状態で固定するためのモジュール固定金物であり、屋根の棟側から軒先側への流れ方向に沿って配置され、太陽電池モジュール１の左右の側縁部（つまり、端部封止部材１５の左右の辺）を上下から挟み付けて固定するための長尺の縦桟下枠３及び縦桟上枠４（４ｂ）と、これら縦桟下枠３及び縦桟上枠４に直交して配置され、太陽電池モジュール１の上下の側縁部（端部封止部材１５の上下の辺）を上下から挟み付けて固定するための比較的短尺の横桟下枠５及び横桟上枠６とから構成され、さらに、必須の付属物としての棟側カバー部材７と、選択可能な付属物としての軒先側カバー部材８とが備えられている。ここで、縦桟下枠３は、屋根の棟側から軒先側への流れ方向に沿って屋根面上に固定され、また、縦桟上枠４は、縦桟下枠３に固定され、さらに、横桟下枠５及び横桟上枠６は、それぞれの両端部を、縦桟下枠３又は縦桟上枠４に突付けの状態で、縦桟下枠３と縦桟上枠４とに挟着されて固定される構造になっている。なお、この例において、縦桟下枠３、縦桟上枠４、横桟下枠５及び横桟上枠６は、いずれも、アルミ製の押出し一体成形加工品であり、また、棟側カバー部材７及び軒先側カバー部材８は、塩ビ鋼板（ポリ塩化ビニル被覆鋼板）製の折曲加工品である。
【００４２】
この例の取付架台の各構成部材について、さらに、詳述する。
まず、横桟下枠５は、例えば、横幅略７０ｍｍ程度、長さ略７６０ｍｍ程度で、太陽電池モジュール１の横幅よりも幾分短めのものとされ、図５に示すように、幅方向に左右対称の複数の段部を有し、幅方向中央部にて長手方向に延びる最上段は、横桟上枠６を嵌合するための嵌合凸部５１として形成され、この嵌合凸部５１の両側にて長手方向に延びる一対の中段は、屋根の流れ方向に並ぶ両側各１台の太陽電池モジュール１の上辺又は下辺を載置するための一対のモジュール載置部５２，５２として形成され、幅方向両側の外縁部にて長手方向に延びる最下段は、最外側縁端にて長手方向に延びる側壁Ｗ，Ｗが立設されて雨水排出用溝５３，５３とされている。上記嵌合凸部５１の上面には、横桟上枠６を嵌合状態でビス止め固定するための雌ねじ孔５１ａ，５１ａが長手方向に沿う複数箇所に螺設されている。なお、嵌合凸部５１の上面は、雌ねじ孔５１ａ，５１ａ，…が螺設されるため、横桟下枠５の他の部位よりも厚肉に形成されている。また、嵌合凸部５１の両側近傍には、モジュール載置部５２，５２への太陽電池モジュール１，１の載置を容易にすると共に、横桟上枠６の嵌合取付を容易にするための一対の位置決めリブ５１ｂ，５１ｂが起立状態でかつ長手方向に沿って設けられている。
【００４３】
横桟上枠６は、例えば、横幅略５５ｍｍ程度、長さ略７７０ｍｍ程度で、太陽電池モジュール１の横幅よりも幾分短めのものとされ、図６に示すように、その幅方向中央部下面には、互いに平行にかつ垂下状態で長手方向に延びる一対の嵌合リブ６１ｂ，６１ｂによって、横桟下枠５の嵌合凸部５１に嵌合される断面コ字型の嵌合凹部６１が形成されている。また、この嵌合凹部６１の上面（底面）には、横桟下枠５の嵌合凸部５１の雌ねじ孔５１ａ，５１ａに対応する箇所に固定用の雄ねじを通すための挿通孔６１ａ，６１ａが穿設されている。さらに、嵌合凹部６１の両側には、横桟下枠５のモジュール載置部５２に載置された太陽電池モジュール１の上辺又は下辺（端部封止部材１５の上辺又は下辺）を上方から押さえ付けて横桟下枠５と共に挟持するための、長手方向に延びる一対のモジュール押さえ部６２，６２が設けられている。
【００４４】
縦桟下枠３は、複数の太陽電池モジュール１を両側２列に並べて固定できるように、長尺（横幅略１００ｍｍ、長さ略３５００ｍｍ程度）に裁断され、図７に示すように、幅方向に左右対称の複数の段部を有している。この例では、長手方向に延びる最上段は、縦桟上枠４を固定するための嵌合凸部３１として形成され、嵌合凸部３１の上面には、縦桟上枠４を嵌合状態でビス止め固定するための雌ねじ孔３１ａ，３１ａ，…が長手方向に沿う複数箇所に螺設されている。なお、嵌合凸部３１の上面は、雌ねじ孔３１ａ，３１ａ，…が螺設されるため、縦桟下枠３の他の部位よりも厚肉に形成されている。嵌合凸部３１の両側にて長手方向に延びる一対の中の上段は、複数の太陽電池モジュール１，１，…を、例えば、４台ずつ両側に並べ、左側列の太陽電池モジュール１，１，…の右辺、及び右側列の太陽電池モジュール１，１，…の左辺を載置するための一対のモジュール載置部３２，３２として形成されている。また、各モジュール載置部３２の外側で長手方向に延びる一対の中の下段は、最下段側の縁端にて長手方向に延びる側壁Ｓ，Ｓが立設されて一対の雨水排出用溝３３，３３とされている。
ここで、各雨水排出用溝３３の側壁Ｓには、太陽電池モジュール１の縦寸法に略対応する間隔で（つまり、太陽電池モジュール１，１，…の取付ピッチ毎に）、横桟下枠５の一端部を突付けの状態で挿着すると共に、横桟下枠５の雨水排出用溝５３を、この縦桟下枠３の雨水排出用溝３３に挿着連通させるための複数の横桟下枠挿着用切欠Ｋ，Ｋ，…が設けられている。それゆえ、切欠幅は、挿入する横桟下枠５の横幅よりも少し大きめに設定される一方、切欠深さは、縦桟下枠３の雨水排出用溝３３を流れる雨水が漏れないように、雨水排出用溝３３の底面より高い位置に設定されている。さらに、幅方向両側の外縁部にて長手方向に延びる一対の最下段は、屋根面に当接状態で木ねじ等の固定具で固定される屋根固定部３４，３４とされ、各屋根固定部３４の下面には、図示せぬねじ孔からの雨漏りを防止するために、例えば、発泡性防水シートＨが貼着されている。
【００４５】
縦桟上枠４は、例えば、横幅略５５ｍｍ程度、長さ略３５００ｍｍ程度で、長尺に裁断され、図８に示すように、縦桟下枠３の嵌合凸部３１に嵌合するために、下方に長手方向に延びる開口を持つ嵌合凹部４１を有している。この嵌合凹部４１の上面（底面）には、縦桟下枠３の嵌合凸部３１の雌ねじ孔３１ａ，３１ａ，…に対応する箇所に固定用の雄ねじを通すための挿通孔４１ａ，４１ａ，…が穿設されている。また、嵌合凹部４１の両側には、縦桟下枠３の一対のモジュール載置部３２，３２に載置された左側列の太陽電池モジュール１，１，…の右辺、及び右側列の太陽電池モジュール１，１，…の左辺を上方から押さえ付けて縦桟下枠３と共に挟持するための、長手方向に延びる一対のモジュール押さえ部４２，４２が形成されている。さらに、各モジュール押さえ部４２の外側には、横桟上枠６の一端部を突付けの状態で、押さえつけることで、縦桟下枠３と共に挟着状態とするための横桟上枠押さえ部４３が長手方向に沿って設けられている。なお、各横桟上枠押さえ部４３の幅方向外側縁端にはリブ（小壁状の垂下片）Ｒが設けられ、各リブＲには太陽電池モジュール１の縦寸法に略対応する間隔で（つまり、太陽電池モジュール１，１，…の取付ピッチ毎に）、横桟上枠６の一端部を突付けの状態で挿着するための複数の横桟上枠挿通用切欠Ｃ，Ｃ，…が設けられている。
【００４６】
上記構成の縦桟上枠４は、長手方向に延びる一対のモジュール押さえ部４２，４２を左右両側に備える左右対称形のものなので、屋根上で互いに平行に３本以上並べられた縦桟下枠３，３，…の上に、縦桟上枠を対応配置する場合には、なるべく内側（両端を除く部位）に配設するのが好ましい。
これに対して、最も外側に配置される縦桟上枠としては、図８の縦桟上枠４でも良いが、美観上及び防水対策の便宜上、図９に示すような左右非対称の縦桟上枠４ｂを用いるのが好適である。この種の縦桟上枠４ｂは、同図に示すように、嵌合凹部４４が一端側に片寄り、さらに、この嵌合凹部４４の片側に横桟上枠押さえ部４５及びモジュール押さえ部４６が設けられ、他端部には長手方向に延びる垂直片４７が屈曲連設されて、最外側の縦桟下枠３の片側半分を被覆して見え隠れにする構成となっている。
【００４７】
棟側カバー部材７は、取付架台自体を構成するものではないが、棟側から太陽電池モジュール１，１，…裏の屋根面に雨水が流れ込むのを防止する役割を担う必須の付属物である。すなわち、横桟下枠５が相隣る一対の縦桟下枠３，３間に突付けの状態で載置取付される構造では、横桟下枠５と屋根面との間に隙間が生じ、太陽電池モジュール１，１，…裏に雨水が流れ込むため、棟側カバー部材７を用いて棟側に最も近い取付架台の部位（横桟上枠６の全部及び縦桟上枠４の上端部）を被覆し、さらに、そこから棟の笠木までの間の屋根面を防水被覆することとしている。内側に配置される棟側カバー部材７は、図１０（ａ）に示すように、屈曲上面板（板厚略０．４ｍｍの塩ビ鋼板）７１のみからなり、屈曲上面板７１の下端部には、固定用のビス挿通孔７１ａ，７１ａ，…が、縦桟上枠４，４，…、縦桟下枠３，３，…の配設間隔に合わせて、幅方向一列に設けられている（なお、各縦桟上枠４、各縦桟下枠３の上端部にも棟側カバー部材７のビス挿通孔７１ａに対応するビス挿通孔４１ｂ，雌ねじ孔３１ｂが穿設されている）。屈曲上面板７１の上端部では、起立状態に折曲されて、棟の笠木の側面に密接される構成となっている。一方、端部に配置される軒先カバー部材７には、同図（ｂ）に示すように、屈曲上面板７１の他に、概略台形形状の側端面板（同塩ビ鋼板）７２が屈曲上面板７１の一方の側面にリベット打ちにより取付固定されて、側方からの雨水の流入を防止している。
また、軒先側カバー部材８も、取付架台自体を構成するものではないが、図１１に示すように、軒先側から太陽電池モジュール１，１，…裏に虫や小鳥が進入するのを防止する役割を担う選択可能な付属物であり、ビス孔８ａ，８ａを介して縦桟上枠４（４ｂ）、縦桟下枠３に取付固定される。
【００４８】
太陽電池モジュールの取付構造
次に、この例の太陽電池モジュールの取付構造について説明する。
図１２は、この発明の第１実施例である太陽電池モジュールの取付構造を分解して示す分解斜視図、図１３は、この発明の第１実施例である太陽電池モジュールの取付構造を示す横断面図（縦桟を横切る断面図）、また、図１４は、同取付構造を示す縦断面図（横桟を横切る断面図）である。
この例の取付構造に係る屋根９は、図１２乃至図１４に示すように、たる木等で組まれた屋根枠組の上面に構造用合板等の野地板９１を張り付け、その上に、アスファルトルーフィング等の防水シート９２を敷き、その上に、塩ビ鋼板等の防火用金属板９３を被せることで屋根下地が構成されている。
【００４９】
上記構成の屋根９の上には、複数の縦桟下枠３，３，…が、互いに所定の間隔を開けて、かつ、平行に棟側から軒先側への流れ方向に沿って配設され、かつ、木ねじによって屋根面に固定され、一方、複数の横桟下枠５，５，…が、屋根９の流れ方向に直交する方向に沿い、縦桟下枠３，３に突付けの状態で、かつ、各横桟下枠５の両端部を、図１４に示すように、対応する縦桟下枠３，３の雨水排出用溝３３，３３の側壁Ｓ，Ｓに設けられた横桟下枠挿着用切欠Ｋ，Ｋに嵌合挿入の態様で架け渡されている。
「Ｍ＋１」本の縦桟下枠３，３，…と、Ｍ×「Ｎ＋１」本の横桟下枠５，５，…とで画成されたＭ行Ｎ列の方形空間（セル）のそれぞれには太陽電池モジュール１，１，…が納められ、各太陽電池モジュール１は、その側縁部を構成する端部封止部材１５の左右２辺が、相対向する２本の縦桟下枠３，３のモジュール載置部３２，３２と、これらの縦桟下枠３，３に嵌合状態でビス止め固定される縦桟上枠４，４ｂのモジュール押さえ部４２，４２とで挟持され、一方、端部封止部材１５の上下２辺が、相対向する２本の横桟下枠５，５のモジュール載置部５２，５２と、これらの横桟下枠５，５に嵌合状態でビス止め固定される横桟上枠６，６のモジュール押さえ部６２，６２とで挟持されて、屋根９に取り付けられている。複数の縦桟上枠４，４ｂ，…の棟側の先端部間には、図１４に示すように、防水用の棟側カバー部材７が被せられ、太陽電池モジュール１，１，…と屋根面との間の棟側の隙間から太陽電池モジュール１，１，…裏の屋根面に雨水が流れ込むのを防止している。
また、複数の縦桟上枠４，４ｂ，…の軒先側の先端部間には、軒先側カバー部材８が被せられ、太陽電池モジュール１，１，…と屋根面との間の軒先側の隙間から、虫や小鳥が進入するのを防止している。
【００５０】
なお、図示しないが、この例の太陽電池モジュール１，１の配線接続構造では、横桟下枠５と屋根面との間に生じる隙間が通線に利用される。すなわち、屋根９の流れ方向に隣接する太陽電池モジュール１，１同士では、一方の太陽電池モジュール１の外部リード線１７を横桟下枠５と屋根面との間の隙間に通線させて、コネクタ１８，１８接続がなされる。そして、最上段又は最下段の太陽電池モジュール１の１つの外部リード線１７を、最外側の横桟下枠５の下をくぐらせることで、縦桟下枠３がもはや邪魔とはならないところで、屋根９の流れ方向に直交する方向に隣接する太陽電池モジュール１，１同士のコネクタ１８，１８接続がなされる。コネクタ１８，１８接続が、最外側の横桟下枠５の外にはみ出てでなされるとはいえ、コネクタ１８，１８や外部リード線１７，１７は、棟側カバー部材７、あるいは、軒先側カバー部材８によって覆われるので、風雨に晒される虞はない。
【００５１】
このように、この例の取付構造によれば、太陽電池モジュール１，１，…の側端部が、弾力性のある端部封止部材１５によって構成され、しかも、端部封止部材１５の上下面には全周に亘り上方環状突隆部１５２，１５２及び下方環状突隆部１５３，１５３が設けられているので、太陽電池モジュール１，１，…の側端部の４辺を縦桟下枠３と縦桟上枠４（４ｂ）、横桟下枠５と横桟上枠６とで挟着する際、太陽電池パネル１Ａと端部封止部材１５、端部封止部材１５と横桟上枠６、横桟下枠５、縦桟上枠４（４ｂ）、縦桟下枠３とが密着する。それゆえ、太陽電池パネル１Ａと端部封止部材１５、太陽電池モジュール１（端部封止部材１５）と横桟上枠６、横桟下枠５、縦桟上枠４（４ｂ）、縦桟下枠３との間の止水性が一段と確実になる。
よしんば、これらの間から雨漏れが生じても、あるいは、他の部位から雨水が浸入しても、太陽電池モジュール１，１，…の裏面に回り込んだ雨水は、横桟下枠５や縦桟下枠３の雨水排出用溝５３，３３によって捕捉される。この場合において、横桟下枠５の雨水排出用溝５３に流れ込んだ雨水は、縦桟下枠３の側壁Ｓに設けられた横桟下枠挿着用切欠Ｋを経由して、縦桟下枠３の雨水排出用溝３３に流れ込み、縦桟下枠３の雨水排出用溝３３を下って軒先の樋に導かれる。それゆえ、太陽電池モジュール１，１，…が配置される屋根領域では、瓦等の屋根葺材を省略できる。
【００５２】
太陽電池モジュールの取付方法
次に、この例の太陽電池モジュールの取付方法について説明する。
図１５は、この発明の第１実施例である太陽電池モジュールの取付方法を示す横断面図（縦桟を横切る断面図）、また、図１６は、同取付方法を示す縦断面図（横桟を横切る断面図）である。
上記構成の取付架台を用いて、屋根９の上に、Ｌ（＝Ｍ×Ｎ）台の太陽電池モジュールを横（棟及び軒先に平行な方向）にＭ行、縦（棟側から軒先側への流れ方向）にＮ列の配列態様で、設置するには、まず、「Ｍ＋１」本の縦桟下枠３，３，…を互いに所定（太陽電池モジュール１の横幅に概略相当する距離）の間隔を開けて棟側から軒先側への流れ方向に沿って配置し、屋根固定部３４，３４を屋根面に当接して木ねじで固定する（図１５（ａ）、図１６（ａ））。
次に、Ｍ×「Ｎ＋１」本の横桟下枠５，５，…を、屋根９の流れ方向に直交する方向に沿って、縦桟下枠３，３に突付け、各横桟下枠５の両端部を、対応する縦桟下枠３，３の雨水排出用溝３３，３３の側壁Ｓ，Ｓに設けられた横桟下枠挿着用切欠Ｋ，Ｋに嵌合挿入して架け渡した後（図１５（ｂ）、図１６（ｂ））、「Ｍ＋１」本の縦桟下枠３，３，…と、Ｍ×「Ｎ＋１」本の横桟下枠５，５，…とで画成されたＭ行Ｎ列の方形空間（セル）の中に、太陽電池モジュール１，１，…を納め、各太陽電池モジュール１の側縁部（端部封止材１５）の４辺を、各方形空間の輪郭部を構成するモジュール載置部３２，３２，５２，５２に載せて行く（図１５（ｃ）、図１６（ｃ））。
【００５３】
なお、図示しないが、Ｍ行Ｎ列の方形空間（セル）の中に、太陽電池モジュール１，１，…を載置するに先だち、横桟下枠５と屋根面との間に生じる隙間に、一方の太陽電池モジュール１の外部リード線１７を通線することで、屋根９の流れ方向に隣接する太陽電池モジュール１，１同士を配線接続しておく。そして、最上段又は最下段の太陽電池モジュール１の１つの外部リード線１７を、最外側の横桟下枠５の下をくぐらせ、縦桟下枠３がもはや邪魔とはならないところで、屋根９の流れ方向に直交する方向に隣接する太陽電池モジュール１，１同士をコネクタ１８，１８接続しておく。
【００５４】
次いで、横桟上枠６，６の嵌合凹部６１，６１を横桟下枠５，５，…の嵌合凸部５１，５１に嵌合させて、横桟上枠６，６，…のモジュール載置部５２，５２，…と、横桟上枠６，６のモジュール押さえ部６２，６２とで太陽電池モジュール１，１，…の上下辺を挟持する状態で、横桟上枠６，６，…の嵌合凹部６１を横桟下枠５，５，…の嵌合凸部５１，５１にビス止めする（図１５（ｄ）、図１６（ｄ））。次に、縦桟上枠４，４ｂ，…の嵌合凹部４１，４４を縦桟下枠３，３，…の嵌合凸部３１，３１に嵌合させて、縦桟下枠３，３，…のモジュール載置部３２，３２，…と、縦桟上枠４，４のモジュール押さえ部４２，４６とで太陽電池モジュール１，１，…の左右辺を挟持する状態で、縦上枠４，４，…の嵌合凹部４１，４４を縦桟下枠３，３，…の嵌合凸部３１，３１にビス止めする（図１５（ｅ）、図１６（ｅ））。最後に、図１４に示すように、縦桟上枠４，４ｂ，…の棟側の先端部間に、防水用の棟側カバー部材７を被せ、縦桟上枠４，４ｂ，…の軒先側の先端部間に、軒先側カバー部材８を被せると、太陽電池モジュール１，１，…の設置が完了する。
なお、屋根９の流れ方向に直交する方向に隣接する太陽電池モジュール１，１同士の配線接続のため、一部のコネクタ１８，１８や外部リード線１７，１７が、最外側の横桟下枠５の外にはみ出されているが、棟側カバー部材７、あるいは、軒先側カバー部材８によって覆われるので、風雨に晒される虞はない。
【００５５】
このように、この例の取付方法によれば、個々の太陽電池モジュールの設置場所である上述の方形空間（セル）は、相対向する２つの縦桟下枠３，３の嵌合凸部３１，３１と、相対向する２つの横桟下枠５，５との嵌合凸部４１，４１によって囲まれているので、それぞれの方形空間（セル）の中に太陽電池モジュール１，１，…を仮置きした状態にしていても、太陽電池モジュール１，１，…が屋根９から滑落する虞はなく、安全である。それどころか、たとえ、方形空間（セル）の外に太陽電池モジュール１，１，…を仮置き状態にしても、側縁部の４辺が、凹凸を有する樹脂製の端部封止部材１５によって構成されているので、太陽電池モジュール１，１，…が屋根９から滑落する虞は少ない。
それゆえ、この例の太陽電池モジュール１，１，…のように、アルミフレームなしの太陽電池モジュールの方が、アルミフレーム付きの太陽電池モジュールよりも、止水性が良好な上、施工費を含むトータルコストが安くなる。
【００５６】
◇第２実施例
次に、この発明の第２実施例について説明する。
図１７は、この発明の第２実施例である太陽電池モジュールの取付架台を構成する横桟下枠を示す図であり、（ａ）は同横桟下枠の平面図、（ｂ）は、（ａ）のＡ−Ａ線に沿う断面図、図１８は、同取付架台を構成する縦桟下枠を示す図であり、（ａ）は縦桟下枠の構成を示す左側面図、（ｂ）は同縦桟下枠の平面図、（ｃ）は同縦桟下枠の右側面図、（ｄ）は、（ａ）のＢ−Ｂ線に沿う断面図、図１９は、同第２実施例である太陽電池モジュールの取付構造を分解して示す一部破断分解斜視図、図２０は、同第２実施例である太陽電池モジュールの取付構造を示す横断面図（縦桟を横切る断面図）、また、図２１は、同取付構造を示す縦断面図（横桟を横切る断面図）である。
【００５７】
この例の取付架台の構成が、上述の第１実施例のそれと大きく異なるところは、図１７及び図１８に示すように、縦桟下枠３Ａ及び横桟下枠５Ａに、外部リード線１７を通すための通線用切欠部Ｔを設けるようにした点である。この通線用切欠Ｔは、縦桟下枠３Ａ及び横桟下枠５Ａの上部側から下部側へ、モジュール載置部３２，５２の位置よりも深く、雨水排出用溝部３３，５３の底面の位置よりも浅く切り込みを入れることで形成されている。もしも、通線用切欠Ｔの深さが、通線用切欠モジュール載置部３２，５２の位置よりも浅ければ、外部リード線１７が、太陽電池モジュール１の端部封止部材１５とモジュール載置部３２，５２とに挟まれるから、好ましくなく、一方、雨水排出用溝部３３，５３の底面よりも深ければ、底面から雨水の漏洩が生じ、雨水排出用溝部３３，５３として機能し得なくなるからである。
具体的には、通線用切欠Ｔは、縦桟下枠３Ａにおいては、図１８に示すように、横桟下枠挿着用切欠Ｋ，Ｋ，…の底辺の位置にまで、一方、横桟下枠５Ａにおいては、図１７に示すように、雨水排出用溝部５３の側壁Ｗの上辺の位置にまで切り込まれている。なお、上記以外の点では、上述の第１実施例と略同様であるので、図１７及び図１８において、図５及び図７に示す構成部分と同一の構成各部には、同一の符号を付してその説明を省略する。
【００５８】
この第２実施例の取付架台を用いて、太陽電池モジュール１，１，…を屋根９に設置する手順は、第１実施例において述べた手順と略同様であるが、配線接続方法（及び配線接続構造）に関しては、第１実施例と第２実施例とでは大きく異なっている。すなわち、この第２実施例では、図１９に示すように、「Ｍ＋１」本の縦桟下枠３，３，…と、Ｍ×「Ｎ＋１」本の横桟下枠５，５，…とでＭ行Ｎ列の方形空間（セル）を屋根面に画成した後、これらの方形空間の中に、Ｍ×Ｎ個の太陽電池モジュール１，１，…を納める前に、縦桟下枠３Ａと横桟下枠５Ａとに設けられた通線用切欠部Ｔ，Ｔ，…に外部リード線１７を通線して、縦横に隣接する太陽電池モジュール１，１同士を、コネクタ１８，１８接続する。
【００５９】
このように、この例の構成によれば、上方開放の通線用切欠部Ｔの中に、上方から外部リード線１７を落とし込むだけで、（隣の太陽電池モジュール１が納められる）隣の方形空間に外部リード線１７を延ばすことができるので、通線用貫通孔に外部リード線を通さなければならない従来の配線接続技術に較べれば、配線接続作業が大変楽になる。
また、上述の第１実施例では、屋根９の流れ方向に直交する方向に隣接する太陽電池モジュール１，１同士の配線接続は、困難で、上記したように、最外側の横桟下枠５の外で行うことを余儀なくされるが、この例では、縦桟下枠３Ａにも通線用切欠１が設けられているので、任意の場所で行うことができる。
【００６０】
◇第３実施例
次に、この発明の第３実施例について説明する。
この第３実施例の構成が、上述の第１実施例又は第２実施例のそれと大きく異なるところは、複数枚の結晶シリコン太陽電池セル１１，１１，…を、方形の透明ガラス基板１２の裏面に並べて充填接着剤１３で貼着し、さらに、裏面カバー材１４で被覆してなる太陽電池パネル１Ａに代えて、透明ガラス基板の裏面にＣＶＤ法を用いてアモルファスシリコンの光電変換層を直接形成し、形成されたアモルファスシリコン層を、防湿フィルム（裏面カバー材）で被覆してなる矩形の太陽電池パネル（不図示）を用いるようにした点である。上記防湿フィルムとしては、アルミ泊をＰＥＴ（ポリエチレンテレフタレート）膜やＰＶＦ（弗化ビニル樹脂）膜で被覆したものが好ましい。防湿フィルムとアモルファスシリコン層との接着には、ＥＶＡ（エチレンビニルアセテート）膜が用いられる。
上記以外の点では、第１実施例又は第２実施例と略同様であるので、その説明を省略する。
この例の構成によれば、上述の第１実施例及び第２実施例で述べたと略同様の効果を得ることができる。
【００６１】
以上、この発明の実施例を図面により詳述してきたが、具体的な構成はこの実施例に限られるものではなく、この発明の要旨を逸脱しない範囲の設計の変更等があってもこの発明に含まれる。例えば、縦桟下枠、縦桟上枠、横桟下枠、横桟上枠の個数は適宜増減でき、また、嵌合凸部、嵌合凹部、モジュール載置部、モジュール押さえ部、雨水排出用溝及び各種切欠の形状も任意である。
【００６２】
また、上述の実施例では、端部封止部材の成形素材として、２液硬化型ウレタン樹脂原料を用いたが、これに限らず、２液混合硬化型エポキシ樹脂を用いるようにしても良く、さらには、２液混合硬化型樹脂に限らず、耐湿性、耐火性、耐候性、弾力性等の要求に応じて、例えば、ポリエチレン、ポリプロピレン、ポリカーボネート、ポリアミド、ポリスチレン、ポリエーテルエステル、軟質ポリ塩化ビニル、ポリメタクリル酸エステル、ポリアクリル酸エステル、ポリメタクリル酸メチル、フッ素樹脂等の熱可塑性樹脂、シリコーン樹脂、ユリア樹脂、メラミン・フェノール樹脂等の熱硬化性樹脂、及びＥＰＤＭ（エチレン−プロピレン−ジエン−ターポリマ）等の合成ゴム等を用いることもできる。
また、太陽電池セルとしては、単結晶シリコン太陽電池セルに限らず、多結晶シリコン太陽電池セル、アモルファスシリコン太陽電池セル、化合物半導体太陽電池セル、有機半導体太陽電池セルを選択封入しても良い。
また、この発明の取付架台は、アルミフレームなしの太陽電池モジュールの設置に用いて、特に好適であるが、アルミフレーム付きの太陽電池モジュールの設置にも用いることができる。また、複数の太陽電池モジュールの設置のみならず、  また、上述の実施例においては、太陽電池モジュールと軒先側の屋根面との隙間に、虫避け又は小鳥避け用カバー部材を被せたが、虫害、鳥害の少ない地域では、省略しても良い。
また、上述の第２実施例では、縦桟下枠と横桟下枠とに通線用切欠を設けたが、必要性に応じて、何れか一方だけに設けても良い。同様に、屋根下地の防水施工が充分である場合には、雨水排出用溝部は、省略可能である。
【００６３】
また、上述の第３実施例では、透明板の裏面に直接アモルファスシリコンの光電変換層が形成されたアモルファス太陽電池パネルを用いたが、これに限らず、透明板の裏面にＣＶＤ法、プラズマ法、ＰＶＤ法等で直接シリコン微結晶が形成された太陽電池パネルを用いても良い。また、防湿フィルムに代えて、セラミックスや樹脂等の絶縁防湿材料をアモルファスシリコン層の裏面にコーティングしても良い。
【００６４】
【発明の効果】
以上説明したように、この発明の構成によれば、太陽電池モジュールの側端部が、弾力性のある端部封止部材によって構成されているので、太陽電池モジュールの側端部の４辺を縦桟下枠と縦桟上枠、横桟下枠と横桟上枠とで挟着する際、太陽電池パネルと端部封止部材、端部封止部材と横桟上枠、横桟下枠、縦桟上枠、縦桟下枠とが密着する。それゆえ、太陽電池パネルと端部封止部材、太陽電池モジュール（端部封止部材）と横桟上枠、横桟下枠、縦桟上枠、縦桟下枠との間の止水性が一段と確実になる。よしんば、これらの間から雨漏れが生じても、あるいは、他の部位から雨水が浸入しても、太陽電池モジュールの裏面に回り込んだ雨水は、横桟下枠や縦桟下枠の雨水排出用溝部によって捕捉される。この場合において、横桟下枠の雨水排出用溝部に流れ込んだ雨水は、縦桟下枠の側壁に設けられた横桟下枠挿着用切欠を経由して、縦桟下枠の雨水排出用溝に流れ込み、縦桟下枠の雨水排出用溝を下って軒先の樋に導かれる。
【００６５】
また、この発明の太陽電池モジュールの取付方法によれば、個々の太陽電池モジュールの設置場所である方形空間（セル）が、相対向する２つの縦桟下枠の嵌合凸部と、相対向する２つの横桟下枠との嵌合凸部とによって構成されるので、それぞれの方形空間（セル）の中に太陽電池モジュールを仮置きした状態にしていても、太陽電池モジュールが屋根から滑落する虞はなく、安全である。それどころか、たとえ、方形空間（セル）の外に太陽電池モジュールを仮置き状態にしても、側縁部の４辺が、非金属の端部封止部材によって構成されているので、太陽電池モジュールが屋根から滑落する虞は少ない。それゆえ、この発明の太陽電池モジュールのように、アルミフレームなしの太陽電池モジュールの方が、アルミフレーム付きの太陽電池モジュールよりも、止水性が良好な上、施工費を含むトータルコストの低減化を図ることができる。
【００６６】
なお、縦桟下枠又は横桟下枠に、モジュール載置部の位置よりも深く切り込まれた上方開放の通線用切欠部を設るようにすれば、上方から通線用切欠部の中に配線を落とし込むだけで、隣の方形空間に配線を延ばすことができるので、通線用貫通孔に配線を通す従来の配線接続技術に較べれば、配線接続作業が大変楽になる。
【図面の簡単な説明】
【図１】この発明の第１実施例に用いられる太陽電池モジュールの構成を概略示す概略断面図である。
【図２】同太陽電池モジュールの構成を部分的に示す一部破断斜視図である。
【図３】同太陽電池モジュールの本体部分である太陽電池パネルの構成を模式的に示す模式的断面図である。
【図４】同太陽電池モジュールの製造方法を工程順に説明するための説明図である。
【図５】この発明の第１実施例である太陽電池モジュールの取付架台を構成する横桟下枠を示す図であり、（ａ）は同横桟下枠の平面図、（ｂ）は同横桟下枠の横断面図である。
【図６】同取付架台を構成する横桟上枠を示す図であり、（ａ）は同横桟上枠の平面図、（ｂ）は同横桟上枠の横断面図である。
【図７】同取付架台を構成する縦桟下枠を示す図であり、（ａ）は縦桟下枠の構成を示す左側面図、（ｂ）は同縦桟下枠の平面図、（ｃ）は同縦桟下枠の右側面図、（ｄ）は同縦桟下枠の横断面図である。
【図８】同取付架台を構成する縦桟上枠を示す図であり、（ａ）は縦桟上枠の構成を示す左側面図、（ｂ）は同縦桟上枠の平面図、（ｃ）は同縦桟上枠の右側面図、（ｄ）は同縦桟上枠の横断面図である。
【図９】同取付架台を構成する縦桟上枠を示す図であり、（ａ）は、最も外側に配置される縦桟上枠の構成を示す平面図、（ｂ）は同縦桟上枠の右側面図、（ｃ）は同縦桟上枠の横断面図である。
【図１０】同取付架台を構成する縦桟上枠を示す図であり、（ａ）は、最も外側に配置される棟側カバー部材の平面図、（ｂ）は同棟側カバー部材の左側面図である。
【図１１】同取付架台を構成する縦桟上枠を示す図であり、（ａ）は軒先側カバー部材の前面図、（ｂ）は同軒先側カバー部材の平面図、（ｃ）は同軒先側カバー部材の横断面図である。
【図１２】この発明の第１実施例である太陽電池モジュールの取付構造を分解して示す分解斜視図である。
【図１３】この発明の第１実施例である太陽電池モジュールの取付構造を示す横断面図（縦桟を横切る断面図）である。
【図１４】同取付構造を示す縦断面図（横桟を横切る断面図）である。
【図１５】この発明の第１実施例である太陽電池モジュールの取付方法を示す横断面図（縦桟を横切る断面図）である。
【図１６】同取付方法を示す縦断面図（横桟を横切る断面図）である。
【図１７】この発明の第２実施例である太陽電池モジュールの取付架台を構成する横桟下枠を示す図であり、（ａ）は同横桟下枠の平面図、（ｂ）は、（ａ）のＡ−Ａ線に沿う断面図である。
【図１８】同取付架台を構成する縦桟下枠を示す図であり、（ａ）は縦桟下枠の構成を示す左側面図、（ｂ）は同縦桟下枠の平面図、（ｃ）は同縦桟下枠の右側面図、（ｄ）は、（ａ）のＢ−Ｂ線に沿う断面図である。
【図１９】同第２実施例である太陽電池モジュールの取付構造を分解して示す一部破断分解斜視図である。
【図２０】同第２実施例である太陽電池モジュールの取付構造を示す横断面図（縦桟を横切る断面図）である。
【図２１】同取付構造を示す縦断面図（横桟を横切る断面図）である。
【符号の説明】
１      太陽電池モジュール
１１      太陽電池セル（結晶シリコン太陽電池セル）
１２      透明板（透明ガラス基板）
１３      樹脂（充填接着剤）
１４      裏面カバー材
１５      端部封止部材
１６      端子ボックス
１７      外部リード線
１８      コネクタ
３，３Ａ      縦桟下枠
３１      嵌合凸部（縦桟下枠の嵌合凸部）
３１ａ      雌ねじ孔
３２      モジュール載置部
３３      雨水排出用溝（縦桟下枠の雨水排出用溝部）
３４      屋根固定部
Ｓ      側壁
Ｋ      横桟下枠挿着用切欠（横桟下枠挿着用切欠部）
Ｔ      通線用切欠（通線用切欠部）
４，４ｂ      縦桟上枠
４１，４４      嵌合凹部
４１ａ      挿通孔（縦桟上枠の雌ねじ孔）
４２，４６      モジュール押さえ部
４３，４５      横桟上枠押さえ部
５，５Ａ      横桟下枠
５１      嵌合凸部（横桟下枠の嵌合凸部）
５１ａ      雌ねじ孔（横桟下枠の雌ねじ孔）
５１ｂ      位置決めリブ
５２      モジュール載置部
５３      雨水排出用溝（横桟下枠の雨水排出用溝部）
６      横桟上枠
６１      嵌合凹部
６１ａ      挿通孔（横桟上枠の挿通孔）
６２      モジュール押さえ部
７      防水用カバー部材（棟側カバー部材）
９      屋根
【図１】
0003552880.tif 000002
【図２】
0003552880.tif 000003
【図３】
0003552880.tif 000004
【図４】
0003552880.tif 000005
【図５】
0003552880.tif 000006
【図６】
0003552880.tif 000007
【図７】
0003552880.tif 000008
【図８】
0003552880.tif 000009
【図９】
0003552880.tif 000010
【図１０】
0003552880.tif 000011
【図１１】
0003552880.tif 000012
【図１２】
0003552880.tif 000013
【図１３】
0003552880.tif 000014
【図１４】
0003552880.tif 000015
【図１５】
0003552880.tif 000016
【図１６】
0003552880.tif 000017
【図１７】
0003552880.tif 000018
【図１８】
0003552880.tif 000019
【図１９】
0003552880.tif 000020
【図２０】
0003552880.tif 000021
【図２１】
0003552880.tif 000022